(57)【特許請求の範囲】
【請求項１】
電気錠によって施錠された扉と、この扉の近傍に設けられ、所定のＩＤコードが記憶されたカードリーダと、このカードリーダの前記ＩＤコードを認証した場合に、前記電気錠に解錠指令を出力して前記扉を解錠し、解錠後に前記扉の閉扉が検出されてから所定の時間が経過したときに前記電気錠によって前記扉を施錠するように制御する制御装置とを備えた電気錠制御装置において、
前記カードリーダの前記ＩＤコードの認証頻度を計測して前記扉の入退室頻度を算出する入退室頻度算出手段と、この入退室頻度算出手段によって算出された前記入退室頻度が高い場合には、前記扉が閉扉してから前記電気錠が施錠作動するまでの時限を長く設定し、前記入退室頻度算出手段によって算出された前記入退室頻度が低い場合には、前記扉が閉扉してから前記電気錠が施錠作動するまでの時限を短く設定する施錠指令手段とを備えたことを特徴とする電気錠制御装置。
【請求項２】
請求項１に記載の電気錠制御装置において、
前記施錠指令手段は、前記入退室頻度を高低レベルに応じて区分し、これらの高低レベル毎に前記扉が閉扉してから前記電気錠が施錠作動するまでの異なる時限を予め設定した閉扉時限テーブルから構成されることを特徴とする電気錠制御装置。
【請求項３】
請求項２に記載の電気錠制御装置において、
前記施錠指令手段は、前記入退室頻度の前記高低レベルが低い程、前記扉が閉扉してから前記電気錠が施錠作動するまでの異なる時限を短く設定したことを特徴とする電気錠制御装置。
【発明の詳細な説明】
【技術分野】
【０００１】
本発明は、扉に設けられた電気錠の施錠作動を制御する電気錠制御装置に係り、特にセキュリティを高めるのに好適な電気錠制御装置に関する。
【背景技術】
【０００２】
この種の扉に設けられた電気錠の施錠作動を制御する装置の従来技術の１つとして、電気錠の解錠操作した後、扉を開扉して再び閉扉すると即座に自動的に施錠する自動施錠モード機能を備える電気錠装置において、自動施錠モード機能を、電気錠の解錠操作した後、扉を開扉して再び閉扉すると、閉扉してから所定の時間が経過したときに自動的に施錠する遅延自動施錠モード機能とした電気錠装置が知られている（例えば、特許文献１参照）。
【０００３】
この従来技術の電気錠装置は、各住戸の屋内に設置する電源トランスと、各住戸の屋内に設置し電気錠に解錠指示を与えるための押釦スイッチと、屋外の玄関先に設置される操作器と、扉に設けられた電気錠とから構成されており、この電気錠は操作器からの信号で進退するデッドボルトを備えている。従って、電気錠の解錠操作した後に扉を開扉して再び閉扉すると、遅延自動施錠モード機能によって閉扉してから所定の時間が経過したときに自動的にデッドボルトが突出して扉を施錠するようになっている。
【先行技術文献】
【特許文献】
【０００４】
【特許文献１】特開平５−１７９８４６号公報
【発明の概要】
【発明が解決しようとする課題】
【０００５】
この特許文献１に開示された従来技術の電気錠装置は、上述したように扉が閉扉してから所定の時間が経過した後に電気錠のデッドボルトを突出させて扉を施錠するものであるから、電気錠の動作回数が少ない、すなわち住戸の住人の出入りが少ない深夜等においても扉が閉扉するのに所定の時間が経過しなければ、遅延自動施錠モード機能によって電気錠のデッドボルトが突出せず、施錠を完了するまでに時間がかかることが問題となっている。そのため、深夜等の目撃者の少ない時間帯において住人が扉を解錠して入室した後、デッドボルトが突出しないうちに不審者が扉を開扉して住戸内へ侵入する友連れが発生する虞がある。
【０００６】
本発明は、このような従来技術の実情からなされたもので、その目的は、扉を入退室する人が少ないときに発生する不審者の友連れを抑制することができる電気錠制御装置を提供することにある。
【課題を解決するための手段】
【０００７】
上記の目的を達成するために、本発明の電気錠制御装置は、電気錠によって施錠された扉と、この扉の近傍に設けられ、所定のＩＤコードが記憶されたカードリーダと、このカードリーダの前記ＩＤコードを認証した場合に、前記電気錠に解錠指令を出力して前記扉を解錠し、解錠後に前記扉の閉扉が検出されてから所定の時間が経過したときに前記電気錠によって前記扉を施錠するように制御する制御装置とを備えた電気錠制御装置において、前記カードリーダの前記ＩＤコードの認証頻度を計測して前記扉の入退室頻度を算出する入退室頻度算出手段と、この入退室頻度算出手段によって算出された前記入退室頻度が高い場合には、前記扉が閉扉してから前記電気錠が施錠作動するまでの時限を長く設定し、前記入退室頻度算出手段によって算出された前記入退室頻度が低い場合には、前記扉が閉扉してから前記電気錠が施錠作動するまでの時限を短く設定する施錠指令手段とを備えたことを特徴としている。
【０００８】
このように構成した本発明は、入退室頻度算出手段がカードリーダのＩＤコードの認証頻度を計測して扉の入退室頻度を算出し、算出された入退室頻度に応じて、施錠指令手段によって扉が閉扉してから電気錠が施錠作動するまでの時限が設定可能となっているので、例えば算出された入退室頻度が高い場合には、施錠指令手段によって設定される時限を長くすることにより、住人が扉を解錠してから電気錠によって施錠が完了するまでの間に扉を再度解錠しなくても開扉することができるので、入退室を円滑に実行させることができる。一方、算出された入退室頻度が低い場合には、施錠指令手段によって設定される時限を短くすることにより、住人の出入りが少ない深夜等において住人が扉を解錠して入室した後に扉を迅速に施錠させることができるので、不審者が友連れによって侵入する機会を逃し易くなる。これにより、扉を入退室する人が少ないときに発生する不審者の友連れを抑制することができる。
【０００９】
また、本発明に係る電気錠制御装置は、前記発明において、前記施錠指令手段は、前記入退室頻度を高低レベルに応じて区分し、これらの高低レベル毎に前記扉が閉扉してから前記電気錠が施錠作動するまでの異なる時限を予め設定した閉扉時限テーブルから構成されることを特徴としている。このように構成すると、閉扉時限テーブルによって入退室頻度の高低レベルに応じて扉が閉扉してから電気錠が施錠作動するまでの異なる時限を自動的に設定することができるので、住人の出入りの状況に合わせて扉の施錠を適切に行うことができる。
【００１０】
また、本発明に係る電気錠制御装置は、前記発明において、前記施錠指令手段は、前記入退室頻度の前記高低レベルが低い程、前記扉が閉扉してから前記電気錠が施錠作動するまでの異なる時限を短く設定したことを特徴としている。このように構成すると、入退室頻度が少ない程、すなわち住人が解錠された扉の開扉動作を繰り返さなくなるので、住人の出入りが少ない深夜等において扉が閉扉してから電気錠が施錠作動するまでの異なる時限を住人の出入りが多い時間帯より短く設定しても扉の施錠を確実に完了することができる。
【発明の効果】
【００１１】
本発明の電気錠制御装置は、電気錠によって施錠された扉と、この扉の近傍に設けられ、所定のＩＤコードが記憶されたカードリーダと、このカードリーダのＩＤコードを認証した場合に、電気錠に解錠指令を出力して扉を解錠し、解錠後に扉の閉扉が検出されてから所定の時間が経過したときに電気錠によって扉を施錠するように制御する制御装置とを備えている。そして、本発明の電気錠制御装置は、カードリーダのＩＤコードの認証頻度を計測して扉の入退室頻度を算出する入退室頻度算出手段と、この入退室頻度算出手段によって算出された入退室頻度が高い場合には、扉が閉扉してから電気錠が施錠作動するまでの時限を長く設定し、入退室頻度算出手段によって算出された入退室頻度が低い場合には、扉が閉扉してから電気錠が施錠作動するまでの時限を短く設定する施錠指令手段とを備えているので、例えば算出された入退室頻度が高い場合に施錠指令手段に設定される時限を長くすることにより、入退室を円滑に実行させることができると共に、算出された入退室頻度が低い場合に施錠指令手段に設定される時限を短くすることにより、住人の出入りが少ない深夜等において住人が扉を解錠して入室した後に扉を迅速に施錠させることができる。これにより、扉を入退室する人が少ないときに発生する不審者の友連れを抑制することができるので、従来よりも安全性を向上させることができ、高い防犯性能を発揮することができる。
【図面の簡単な説明】
【００１２】
【図１】本発明に係る電気錠制御装置の一実施形態の構成を示す図である。
【図２】本実施形態の動作を説明するフローチャートである。
【図３】図１に示す本実施形態に備えられる閉扉時限テーブルを示す図である。
【発明を実施するための形態】
【００１３】
以下、本発明に係る電気錠制御装置を実施するための形態を図に基づいて説明する。
【００１４】
本発明に係る電気錠制御装置の一実施形態は、図１に示すように電気錠２ａ，２ｂによって施錠された図示しない複数の扉と、これらの扉の近傍にそれぞれ設けられ、所定のＩＤコードがそれぞれ記憶されたカードリーダ３ａ，３ｂと、複数の扉にそれぞれ設けられ、開扉信号及び閉扉信号を出力する閉扉検出装置１５ａ，１５ｂとを備えている。
【００１５】
また、本実施形態は、カードリーダ３ａ，３ｂのＩＤコードを認証した場合に、電気錠２ａ，２ｂに解錠指令を出力して扉を解錠し、解錠後に扉の閉扉が検出されてから所定の時間が経過したときに電気錠２ａ，２ｂによって扉を施錠するように制御する制御装置６を備えており、この制御装置６は、図示しない建物の任意の場所に設置されている。なお、制御装置６は、外部と通信を行う通信インターフェイス７が設けられている。
【００１６】
さらに、本実施形態は、制御装置６と各電気錠２ａ，２ｂとの間に接続され、電気錠２ａ，２ｂに施錠信号や解錠信号を出力する電気錠ドライブ回路４と、制御装置６と各カードリーダ３ａ，３ｂとの間に接続され、カードリーダ３ａ，３ｂが読み込んだＩＤコードを取り込むカードリーダドライブ回路５とを備えている。このカードリーダドライブ回路５は、例えばカードリーダ３ａ，３ｂに設けた図示しない報知装置（ランプやブザー等）を介して住人等の利用者に開扉可否を知らせる開扉可否信号を出力するようになっている。なお、利用者は、所定のＩＤコードが記憶された図示しないカードを所持しており、所持したカードをカードリーダ３ａ，３ｂに読み込ませることによって、電気錠２ａ，２ｂを解錠する。
【００１７】
また、本実施形態は、扉を開放可能とする上記カードのＩＤコード等の情報を少なくとも記憶する記憶装置８と、制御装置６と各閉扉検出装置１５ａ，１５ｂに接続され、扉の開扉信号及び閉扉信号を取り込む入出力回路９と、各カードリーダ３ａ，３ｂが利用者のカードを読み込んだ時刻、カードの利用者名称、及び入室又は退室等の履歴情報を記憶する履歴記憶部１６とを備えている。
【００１８】
そして、本実施形態は、カードリーダ３ａ，３ｂのＩＤコードの認証頻度を計測して扉の入退室頻度を算出する入退室頻度算出手段と、この入退室頻度算出手段によって算出された入退室頻度に応じて、各扉が閉扉してから電気錠２ａ，２ｂが施錠作動するまでの時限を設定する施錠指令手段とを備えている。具体的には、入退室頻度算出手段は、例えば各カードリーダ３ａ，３ｂが読み込んだカードの情報を、カードリーダドライブ回路５を介して取り込み、各カードリーダ３ａ，３ｂに所定の時間、例えば３０秒間に読み込まれた回数を計測して入退室頻度を計算するカードリーダ読込頻度計算部１７から成っており、施錠指令手段は制御装置６内に含まれている。
【００１９】
さらに、制御装置６は、各カードリーダ３ａ，３ｂがＩＤコードを読み込んだときに、読み込まれたＩＤコードと履歴記憶部１６に記憶されたＩＤコードとを比較し、読み込まれたＩＤコードが解錠許可されたＩＤコードと一致する場合に電気錠ドライブ回路４を介して解錠指令信号を電気錠２ａ，２ｂへ出力し、各扉を解錠するようになっている。一方、制御装置６の施錠指令手段は、例えば解錠された各扉が閉扉してから設定された時限が経過したときに電気錠ドライブ回路４を介して施錠指令信号を電気錠２ａ，２ｂへ出力し、各扉を施錠するようになっている。
【００２０】
ここで、履歴記憶部１６とカードリーダ読込頻度計算部１７は互いに接続されており、カードリーダ読込頻度計算部１７は入退室頻度を計算するときに過去のデータを履歴記憶部１６から取得して参照するようになっている。また、電気錠２ａ，２ｂは制御装置６からの信号で進退する図示しないデッドボルトをそれぞれ備えており、電気錠２ａ，２ｂが制御装置６から解錠指令信号を受信した場合にデッドボルトを突入させ、制御装置６から施錠指令信号を受信した場合にデッドボルトを突出させるようにしている。すなわち、制御装置６は、扉が閉扉してから設定された時限を経過したときに施錠指令信号を電気錠２ａ，２ｂへ送信するようになっている。なお、デッドボルトには図示しないリミットスイッチが設けられており、デッドボルトが突出した際に突出信号を電気錠ドライブ回路４へ出力して各扉の施錠状態をリミットスイッチの出力信号から検出するようになっている。
【００２１】
また、本実施形態では、制御装置６の施錠指令手段は、例えば図３に示すように入退室頻度１７Ａａを高低レベルに応じて区分し、これらの高低レベル毎に扉が閉扉してから電気錠２ａ，２ｂが施錠作動するまでの異なる時限、すなわちデッドボルト突出時間１７Ａｂを予め設定した閉扉時限テーブル１７Ａから構成されており、入退室頻度１７Ａａの高低レベルが低い程、扉が閉扉してから電気錠２ａ，２ｂが施錠作動するまでの異なる時限、すなわちデッドボルト突出時間１７Ａｂを短く設定している。
【００２２】
本実施形態では、閉扉時限テーブル１７Ａは、入退室頻度１７Ａａが、５段階のレベルとして高い順から１秒以内、１〜１．９秒、２〜３．４秒、３．５〜４．９秒、５秒以上に区分されている。そして、デッドボルト突出時間１７Ａｂは、これらの区分に対して５秒、４秒、３秒、２秒、１秒の時間が設定されている。
【００２３】
また、本実施形態は、図１に示すように通信インターフェイス７と一般回線１０を介して接続され、建物の設備機器等の管理や監視を行う監視センター１１を備えており、この監視センター１１は、一般回線１０に接続された通信インターフェイス１２と、この通信インターフェイス１２に接続されると共に、図示しない機器の動作を制御する制御装置１３と、この制御装置１３に接続され、建物内の制御装置６から受信した情報を記憶する記憶装置１４とを備え、履歴記憶部１６に記憶された情報を監視センター１１の記憶装置１４へ定期的に転送させるようにしている。
【００２４】
次に、本実施形態の動作を図２のフローチャートに基づいて説明する。
【００２５】
図２は本実施形態の動作を説明するフローチャートである。
【００２６】
本実施形態では、扉は閉扉状態であり、閉扉検出装置１５ａ，１５ｂが閉扉信号を出力すると共に、デッドボルトが突出してリミットスイッチの突出信号によって電気錠２ａ，２ｂが施錠されていることが確認される。次に、扉から住居内に入室する利用者は、扉を開扉するときに所持しているカードを例えばカードリーダ３ａに翳すと、このカードに書き込まれているＩＤコードをカードリーダ３ａが読み込み、読み込まれたＩＤコードはカードリーダドライブ回路５を介して制御装置６に送信される。そして、制御装置６は、受信したＩＤコードが記憶装置８に記憶されているか否かを判断する（Ｓ１）。
【００２７】
制御装置６は、受信したＩＤコードが記憶装置８に記憶されていないと判断した場合には、カードリーダドライブ回路５を介してカードリーダ３ａの報知装置を起動させ、カードが無効であることを利用者に知らせる。一方、手順Ｓ１において制御装置６は、受信したＩＤコードが記憶装置８に記憶されていると判断した場合には、すなわち入室が許可された場合には、電気錠ドライブ回路４を介して該当する扉に設けられた電気錠２ａへ解錠指令信号を出力する（Ｓ２）。
【００２８】
次に、解錠指令信号を入力した電気錠２ａは、突出されたデッドボルトを引き戻して扉を開扉可能とし（Ｓ３）、扉が開かれた際に閉扉検出装置１５ａは入出力回路９を介して開扉信号を制御装置６へ出力する（Ｓ４）。また、手順Ｓ１において制御装置６は、受信したＩＤコードが記憶装置８に記憶されていると判断した場合には、カードリーダ３ａが読み込んだ時刻及びＩＤコードを履歴記憶部１６に記憶させる。そして、カードリーダ読込頻度計算部１７が、カードリーダ３ａが読み込んだ当該時刻と、履歴記憶部１６に記憶されている時刻のうち前回カードリーダ３ａが読み込んだ時刻とを参照して扉の入退室頻度を計算する（Ｓ５）。
【００２９】
例えば、カードリーダ読込頻度計算部１７によって計算された入退室頻度が高く、０．５秒である場合には、図３に示すように閉扉時限テーブル１７Ａの入退室頻度１７Ａａにおける１秒以内の区分を参照してデッドボルト突出時間１７Ａｂが５秒に設定される（Ｓ６）。そして、制御装置６は、設定されたデッドボルト突出時間１７Ａｂ、すなわち５秒を取り込み、扉が閉扉してから設定された５秒を経過したときに施錠指令信号を電気錠２ａへ送信する制御を行う（Ｓ７）。
【００３０】
また、手順Ｓ５において例えばカードリーダ読込頻度計算部１７によって計算された入退室頻度が低く、６秒である場合には、閉扉時限テーブル１７Ａの入退室頻度１７Ａａにおける５秒以上の区分を参照してデッドボルト突出時間１７Ａｂが１秒に設定される（Ｓ６）。そして、制御装置６は、設定されたデッドボルト突出時間１７Ａｂ、すなわち１秒を取り込み、扉が閉扉してから設定された１秒を経過したときに施錠指令信号を電気錠２ａへ送信する制御を行う（Ｓ７）。
【００３１】
次に、閉扉検出装置１５ａは、扉が閉じられたことを検出し、入出力回路９を介して閉扉信号を制御装置６へ出力すると（Ｓ８）、制御装置６は、閉扉信号が入力されてからの時間を計測し、計測された時間と手順Ｓ７において設定されたデッドボルト突出時間１７Ａｂとを比較し、計測された時間がデッドボルト突出時間１７Ａｂを満たしているか否かを判断する（Ｓ９）。制御装置６は、計測した閉扉信号が入力されてからの時間がデッドボルト突出時間１７Ａｂに満たしていないと判断した場合には、閉扉検出装置１５ａが入出力回路９を介して開扉信号を出力したか否か、すなわち電気錠２ａの解錠状態において再度扉が開かれたか否かを判断する（Ｓ１０）。
【００３２】
そして、制御装置６は、閉扉検出装置１５ａが入出力回路９を介して開扉信号を出力したと判断した場合には、手順Ｓ７の動作に戻って制御装置６が、設定されたデッドボルト突出時間１７Ａｂを再度取り込み、扉が再度閉扉してから設定されたデッドボルト突出時間１７Ａｂを経過したときに施錠指令信号を電気錠２ａへ送信する制御を行う（Ｓ７）。一方、手順Ｓ１０において制御装置６が、閉扉検出装置１５ａが入出力回路９を介して開扉信号を出力していないと判断した場合には、手順Ｓ９の動作に戻り、手順Ｓ８において閉扉信号が入力されてからの時間が設定されたデッドボルト突出時間１７Ａｂを経過するまで計測し続ける。
【００３３】
次に、手順Ｓ９において制御装置６は、計測された時間がデッドボルト突出時間１７Ａｂを満たしていると判断した場合には、電気錠ドライブ回路４を介して施錠指令信号を電気錠２ａへ出力する（Ｓ１１）。そして、施錠指令信号を受信した電気錠２ａは、デッドボルトを突出させて扉の施錠を完了し（Ｓ１２）、本実施形態の動作を終了する。
【００３４】
このように構成した本実施形態によれば、手順Ｓ５においてカードリーダ読込頻度計算部１７がカードリーダ３ａのＩＤコードの認証頻度を計測して扉の入退室頻度１７Ａａを算出し、手順Ｓ６において算出された入退室頻度１７Ａａに応じて、施錠指令手段によって扉が閉扉してから電気錠２ａが施錠作動するまでの時限を設定することにより、例えば算出された入退室頻度が高く、上述した０．５秒である場合には、施錠指令手段によって設定される時限を５秒とすることにより、住人が扉を解錠してから電気錠２ａによって施錠が完了するまでの時間を十分に確保できるので、この間に扉を再度解錠しなくても開扉することができ、入退室を円滑に実行させることができる。また、デッドボルトの突出中に扉が開扉する動作が減少するので、デッドボルトの破損を防止することができる。
【００３５】
一方、手順Ｓ５において算出された入退室頻度が低く、上述した６秒である場合には、施錠指令手段によって設定される時限を１秒とすることにより、住人の出入りが少ない深夜等において住人が扉を解錠して入室した後に扉を迅速に施錠させることができるので、不審者が友連れによって侵入する機会を逃し易くなる。これにより、扉を入退室する人が少ないときに発生する不審者の友連れを抑制することができるので、安全性を向上させることができ、高い防犯性能を発揮することができる。
【００３６】
また、本実施形態は、図３に示すように閉扉時限テーブル１７Ａによって入退室頻度１７Ａａを高低レベルに応じて高い順から１秒以内、１〜１．９秒、２〜３．４秒、３．５〜４．９秒、５秒以上に区分し、扉が閉扉してから電気錠２ａのデッドボルトが突出するデッドボルト突出時間１７Ａｂを５秒、４秒、３秒、２秒、１秒にそれぞれ設定しているので、手順Ｓ７において制御装置６が入退室頻度１７Ａａに対応するデッドボルト突出時間１７Ａｂを自動的に取り込んで施錠指令信号の電気錠２ａへの送信を制御することにより、住人の出入りの状況に合わせて扉の施錠を適切に行うことができる。これにより、電気錠２ａ，２ｂによる扉の施解錠における運用効率を向上させることができる。
【００３７】
また、本実施形態は、閉扉時限テーブル１７Ａは、入退室頻度１７Ａａの高低レベルが低い程、デッドボルト突出時間１７Ａｂを５秒、４秒、３秒、２秒、１秒のように短く設定することにより、入退室頻度１７Ａａが少ない程、すなわち手順Ｓ１０において住人が解錠された扉の開扉動作を繰り返さなくなるので、住人の出入りが少ない深夜等においてデッドボルト突出時間１７Ａｂを住人の出入りが多い時間帯より短く設定しても扉の施錠を確実に完了することができる。これにより、電気錠２ａに対する高い信頼性を確保することができる。
【００３８】
また、本実施形態は、一般回線１０を介して履歴記憶部１６に記憶された情報を監視センター１１の記憶装置１４へ転送するようにしているので、制御装置６やカードリーダ読込頻度計算部１７等の動作履歴を確実に保存することができる。従って、履歴記憶部１６に記憶容量の大きなものを選定しなくて済むので、コストを抑えることができる。
【００３９】
なお、上述した本実施形態では、閉扉時限テーブル１７Ａは、入退室頻度１７Ａａを１秒以内、１〜１．９秒、２〜３．４秒、３．５〜４．９秒、５秒以上に区分し、デッドボルト突出時間１７Ａｂを５秒、４秒、３秒、２秒、１秒にそれぞれ設定した場合について説明したが、この場合に限らず、入退室頻度が高いほど、デッドボルト突出時間をより長く設定しても良い。
【００４０】
また、本実施形態は、手順Ｓ５においてカードリーダ読込頻度計算部１７が、カードリーダ３ａがＩＤコードを読み込んだ時刻と、履歴記憶部１６に記憶されている時刻のうち前回カードリーダ３ａがＩＤコードを読み込んだ時刻とを参照して扉の入退室頻度を計算した場合について説明したが、この場合に限らず、予め定めた時間間隔におけるＩＤコードの読込回数を求め（例えば１分間に何回読み込んだか）、求めたＩＤコードの読込回数に対してデッドボルト突出時間を設定しても良い。この場合も、上述したのと同様の効果を得ることができる。
【符号の説明】
【００４１】
２ａ，２ｂ  電気錠
３ａ，３ｂ  カードリーダ
４  電気錠ドライブ回路
５  カードリーダドライブ回路
６  制御装置
７  通信インターフェイス
８  記憶装置
９  入出力回路
１５ａ，１５ｂ  閉扉検出装置
１６  履歴記憶部
１７  カードリーダ読込頻度計算部
１７Ａ  閉扉時限テーブル
１７Ａａ  入退室頻度
１７Ａｂ  デッドボルト突出時間
【図１】
0005553791.tif 000002
【図２】
0005553791.tif 000003
【図３】
0005553791.tif 000004